(57)【特許請求の範囲】
【請求項１】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定されており、他端側は前記ヘルメット本体の内側に突出している突出部を形成しており、
前記固定手段は、前記ハンモックの帽体結合部と該突出部とを解除可能に結合している結合部により構成されており、
前記結合部は、
小径部と、その先端側の該小径部よりも径が大きい大径部とを有して前記突出部を構成しているフランジ状部分と、
前記帽体結合部に設けられ、前記フランジ状部分の小径部が挿入されて該フランジ状部分に結合されている結合孔部とを備え、
前記挿入部材のフランジ状部分は、その小径部に、該挿入部材の基端側に螺合している雄ねじ部を有し、該螺合を解除することにより該基端側から取り外すことが可能となっていることを特徴とするヘルメット。
【請求項２】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端は前記バイザに固定され、該挿入部材の他端側は、前記貫通孔に挿入したときに弾性的に拡がって該貫通孔からの抜けを阻止するモリ状の先端部を形成しており、
前記固定手段は該モリ状の先端部により構成されていることを特徴とするヘルメット。
【請求項３】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定されており、
前記挿入部材は、その他端側の端面に開口した小径孔と、該小径孔の前記一端側に接続した該小径孔よりも径が大きい大径孔とを有し、
前記固定手段は、先端側が前記小径孔から前記大径孔にかけて挿入したときに弾性的に拡がって該大径孔からの抜けを阻止するモリ状の先端部を有する鋲状の留め具を有し、該留め具により前記挿入部材を前記貫通孔に固定していることを特徴とするヘルメット。
【請求項４】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定されており、
前記固定手段は、前記ヘルメット本体の内面側から前記挿入部材に螺合され、前記貫通孔の径よりも径が大きい頭部を有する鋲ねじにより構成されていることを特徴とするヘルメット。
【請求項５】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記バイザは、前記ヘルメット本体の貫通孔に対応する部分に貫通孔が設けられており、
前記挿入部材は、前記バイザの表面側から前記バイザの貫通孔及び対応する前記ヘルメット本体の貫通孔に挿入された鋲状部材で構成されており、
前記固定手段は、前記鋲状部材と、これに前記ヘルメット本体の内側から螺合する鋲ねじとで構成されていることを特徴とするヘルメット。
【請求項６】
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記バイザは、その両端部に、前記ヘルメット本体の一部に対し、嵌合して固定される嵌合部を有し、
前記ヘルメット本体は、下端部が上方に折り返された折返し部を形成しており、
前記嵌合部は、前記折返し部の一部に対して前後方向に嵌合していることを特徴とするヘルメット。
【請求項７】
前記結合孔部は、
前記フランジ状部分の大径部よりも小さい幅を有して頭頂部側に開いたＵ字形状のＵ字孔が形成され、該フランジ状部分の大径部と前記ヘルメット本体との間で前記突出部に固定されている固定部と、
前記Ｕ字孔に対して頭頂部側に連なり、前記フランジ状部分の挿入を許容する寸法を有する挿入孔が形成された挿入部と、
前記フランジ状部分を前記挿入部の挿入孔へ挿入して前記固定部に移動させることにより前記突出部を前記固定部へ固定するのを許容するとともに、該フランジ状部分が該固定部から該挿入部へ移動するのを阻止する弾性部材とを有することを特徴とする請求項１に記載のヘルメット。
【請求項８】
前記バイザは、その両端部に、前記ヘルメット本体の一部に対し、嵌合して固定される嵌合部を有することを特徴とする請求項１〜５、７のいずれか１項に記載のヘルメット。
【請求項９】
前記ヘルメット本体は、前方側の下端部の両側部が両側に水平方向に拡がった拡がり部を有し、
前記嵌合部は、前記拡がり部に対応する部分に、該拡がり部に対してこれを上下方向に挟むように外嵌される前後方向に延びたスリット状のものであることを特徴とする請求項８に記載のヘルメット。
【請求項１０】
前記ヘルメット本体はＦＲＰ製であり、前記バイザは、透明又は半透明であることを特徴とする請求項１〜９のいずれか１項に記載のヘルメット。
【発明の詳細な説明】
【技術分野】
【０００１】
本発明は、ヘルメット本体と、その内側に設けられるハンモックと、ヘルメット本体の前部に取り付けられるバイザとを備えるヘルメットに関する。
【背景技術】
【０００２】
従来、人頭を保護するヘルメットとして、硬質のヘルメット本体と、ヘルメット本体に取り付けられて人頭に接することにより人頭への衝撃を吸収するためのハンモックと、ヘルメット本体に設けられる目庇としてのバイザとを有するものが知られている（例えば、特許文献１参照）。特許文献１のヘルメットは、合成樹脂により形成されており、バイザ（鍔部）を一体的に有している。
【０００３】
また、バイザとして略透明の庇部を有するヘルメットも知られている。このようなヘルメットは、例えば、ヘルメット本体を成形するための金型内に庇部をセットし、ヘルメット本体を成形材料で成形するときに、庇部と一体化させることにより形成することができる（例えば、特許文献２参照）。
【０００４】
特許文献２のヘルメットでは、庇部は、ポリカーボネートなどで形成されており、ヘルメット本体の両側部側から延びる外周枠部によって庇部の全周を囲うようにしてヘルメット本体に接合される。
【先行技術文献】
【特許文献】
【０００５】
【特許文献１】特開平８−２１８２１５号公報
【特許文献２】特開２００７−３０３０２３号公報
【発明の概要】
【発明が解決しようとする課題】
【０００６】
しかし、上記従来のヘルメットにおける透明なバイザは、ポリカーボネートやアクリルのような強度等において比較的優れた樹脂で形成されるが、ヘルメット本体は、より強度等の高いＦＲＰ（繊維強化プラスチック）で形成される。このため、バイザの方がヘルメット本体よりも耐用期間が短いので、ヘルメット全体としての耐用期間がバイザの耐用期間によって決まるという不都合がある。
【０００７】
本発明の目的は、かかる従来技術の課題に鑑み、バイザの耐用期間によってヘルメット全体の耐用期間が制限されることのないヘルメットを提供することにある。
【課題を解決するための手段】
【０００８】
第１発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定されており、他端側は前記ヘルメット本体の内側に突出している突出部を形成しており、
前記固定手段は、前記ハンモックの帽体結合部と該突出部とを解除可能に結合している結合部により構成されており、
前記結合部は、
小径部と、その先端側の該小径部よりも径が大きい大径部とを有して前記突出部を構成しているフランジ状部分と、
前記帽体結合部に設けられ、前記フランジ状部分の小径部が挿入されて該フランジ状部分に結合されている結合孔部とを備え、
前記挿入部材のフランジ状部分は、その小径部に、該挿入部材の基端側に螺合している雄ねじ部を有し、該螺合を解除することにより該基端側から取り外すことが可能となっていることを特徴とする。
【０００９】
第１発明によれば、ヘルメット本体よりも耐用期間が短いバイザの耐用期間が満了した場合には、固定手段による固定を解除してバイザを取り外し、新たなバイザをヘルメット本体に装着し、固定手段で固定することにより、バイザを交換することができる。したがって、バイザの耐用期間によってヘルメット全体の耐用期間が制限されるのを回避することができる。
また、バイザに固定された挿入部材をヘルメット本体の貫通孔に挿入し、挿入部材の突出部と、ヘルメット本体内に配置されたハンモックの帽体結合部とを結合することにより、バイザをハンモックの帽体結合部とともにヘルメット本体に対して着脱自在に取り付けることができる。
また、バイザの取付けに使用される結合部によって、ハンモックの帽体結合部も同時にヘルメット本体に取り付けられるので、ヘルメット本体に対するバイザ及びハンモックの取付けを行うための構成を簡単にすることができる。
また、バイザ及びこれとともにヘルメット本体に取り付けられているハンモックの帽体結合部を、フランジ状部分の挿入部材基端側への螺合及びその解除により、ヘルメット本体に対して容易に着脱することができる。
【００１７】
第２発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端は前記バイザに固定され、該挿入部材の他端側は、前記貫通孔に挿入したときに弾性的に拡がって該貫通孔からの抜けを阻止するモリ状の先端部を形成しており、
前記固定手段は該モリ状の先端部により構成されていることを特徴とする。
【００１８】
第２発明によれば、バイザの挿入部材のモリ状の先端部を、ヘルメット本体の対応する貫通孔に挿入するだけで、バイザをヘルメット本体に固定することができる。また、ヘルメット本体に固定されているバイザの挿入部材の拡がっているモリ状の先端部を閉じさせることにより、容易にヘルメット本体の貫通孔から挿入部材を引き抜いて、バイザをヘルメット本体から取り外すことができる。
【００１９】
第３発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定され、
前記挿入部材は、その他端側の端面に開口した小径孔と、該小径孔の前記一端側に接続した該小径孔よりも径が大きい大径孔とを有し、
前記固定手段は、先端側が前記小径孔から前記大径孔にかけて挿入したときに弾性的に拡がって該大径孔からの抜けを阻止するモリ状の先端部を有する鋲状の留め具を有し、該留め具により前記挿入部材を前記貫通孔に固定していることを特徴とする。
【００２０】
第３発明によれば、バイザの挿入部材を対応するヘルメット本体の貫通孔に挿入し、該挿入部材の大径孔及び小径孔に鋲状の留め具を挿入するだけで、容易に、バイザをヘルメット本体に固定することができる。また、ヘルメット本体に固定されているバイザの挿入部材の大径孔及び小径孔から留め具を引き抜くことにより、容易にバイザをヘルメット本体から取り外すことができる。
【００２１】
第４発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記挿入部材の一端側は前記バイザに固定されており、
前記固定手段は、前記ヘルメット本体の内面側から前記挿入部材の他端側に螺合され、前記ヘルメット本体の貫通孔の径よりも径が大きい頭部を有する鋲ねじにより構成されていることを特徴とする。
【００２２】
第４発明によれば、バイザの挿入部材を対応するヘルメット本体の貫通孔に挿入し、挿入部材に鋲ねじを螺合させるだけで、容易に、バイザをヘルメット本体に固定することができる。また、ヘルメット本体に固定されているバイザの挿入部材から鋲ねじを外すだけで、容易にバイザをヘルメット本体から取り外すことができる。
【００２３】
第５発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記バイザは、前記ヘルメット本体の貫通孔に対応する部分に貫通孔が設けられており、
前記挿入部材は、前記バイザの表面側から前記バイザの貫通孔及び対応する前記ヘルメット本体の貫通孔に挿入された鋲状部材で構成されており、
前記固定手段は、前記鋲状部材と、これに前記ヘルメット本体の内側から螺合している鋲ねじとで構成されていることを特徴とする。
【００２４】
第５発明によれば、バイザに貫通孔を設けるだけで、鋲状部材と鋲ねじとで構成される固定手段を用いて着脱自在にバイザをヘルメット本体に取り付けることができる。
【００２５】
第６発明のヘルメットは、
ヘルメット本体と、該ヘルメット本体の内側に設けられたハンモックと、該ヘルメット本体の前部に取り付けられるバイザとを備えるヘルメットであって、
前記バイザを前記ヘルメット本体に取り外し可能に取り付けているバイザ取付手段を備え、
前記バイザ取付手段は、
前記ヘルメット本体に設けられた貫通孔と、
前記貫通孔に挿入された挿入部材と、
前記挿入部材を介して前記バイザを前記ヘルメット本体に対して解除可能に固定している固定手段とを備え、
前記バイザは、その両端部に、前記ヘルメット本体の一部に対し、嵌合して固定される嵌合部を有し、
前記ヘルメット本体は、下端部が上方に折り返された折返し部を形成しており、
前記嵌合部は、前記折返し部の一部に対して前後方向に嵌合していることを特徴とする。
第６発明によれば、ヘルメット本体に対してバイザをより確実に取り付けることができる。また、折返し部の良好な強度を利用して、ヘルメット本体にバイザをより確実に固定することができる。
【００２６】
第７発明のヘルメットは、第１発明において、
前記結合孔部は、
前記フランジ状部分の大径部よりも小さい幅を有して頭頂部側に開いたＵ字形状のＵ字孔が形成され、該フランジ状部分の大径部と前記ヘルメット本体との間で前記突出部に固定されている固定部と、
前記Ｕ字孔に対して頭頂部側に連なり、前記フランジ状部分の挿入を許容する寸法を有する挿入孔が形成された挿入部と、
前記フランジ状部分を前記挿入部の挿入孔へ挿入して前記固定部に移動させることにより前記突出部を前記固定部へ固定するのを許容するとともに、該フランジ状部分が該固定部から該挿入部へ移動するのを阻止する弾性部材とを有することを特徴とする。
第７発明によれば、ヘルメット本体に対してハンモックの帽体結合部とともにバイザを着脱自在に取り付けるための結合部を簡単に構成することができる。また、ヘルメット本体に取り付けたバイザ及びハンモックの帽体取付部がヘルメット本体から外れるのを弾性部材によって阻止することができる。
第８発明のヘルメットは、第１〜第５、第７発明において、前記バイザは、その両端部に、前記ヘルメット本体の一部に対し、嵌合して固定される嵌合部を有することを特徴とする。第８発明によれば、ヘルメット本体に対してバイザをより確実に取り付けることができる。
第９発明のヘルメットは、第８発明において、
前記ヘルメット本体は、前方側の下端部の両側部が両側に水平方向に拡がった拡がり部を有し、
前記嵌合部は、前記拡がり部に対応する部分に、該拡がり部に対してこれを上下方向に挟むように外嵌される前後方向に延びたスリット状のものであることを特徴とする。
【００２７】
第９発明によれば、拡がり部に前後方向に延びたスリット状の嵌合部を嵌合させるようにしたので、拡がり部を利用して、ヘルメット本体に対してバイザを確実に固定することができる。
【００３０】
第１０発明のヘルメットは、第１〜第９発明において、前記ヘルメット本体はＦＲＰ製であり、前記バイザは、透明又は半透明であることを特徴とする。第１０発明によれば、ヘルメット本体の長い耐用年数を全うしながら、バイザにより上方の視界が妨げられるのを防止することができる。
【図面の簡単な説明】
【００３１】
【図１】本発明の第１実施形態に係るヘルメットのヘルメット本体と、これに取り付けられるバイザを示す斜視図である。
【図２】図１のヘルメットの側面図である。
【図３】図３Ａは、図１のヘルメットにおいてハンモックの帽体結合部及びバイザの挿入部材をヘルメット本体に取り付ける直前の様子を示す斜視図であり、図３Ｂは該取り付けが完了したときの様子を示す斜視図である。
【図４】バイザ端部の挿入部材と、これに対応する帽体結合部とがヘルメット本体に固定されている部分の断面図である。
【図５】第２実施形態に係るヘルメットのバイザ端部の挿入部材と、これに対応する帽体結合部とがヘルメット本体に固定されている部分の断面図である。
【図６】第３実施形態に係るヘルメットのバイザ端部の挿入部材がヘルメット本体に固定されている部分の断面図である。
【図７】第４実施形態に係るヘルメットのバイザ端部の挿入部材がヘルメット本体に固定されている部分の断面図である。
【図８】第５実施形態に係るヘルメットのバイザ端部の挿入部材がヘルメット本体に固定されている部分の断面図である。
【発明を実施するための形態】
【００３２】
以下、図面を用いて本発明の実施形態を説明する。図１に示すように、第１実施形態のヘルメット１は、硬質のヘルメット本体２と、ヘルメット本体２の前部に取り付けられるバイザ３とを備える。ヘルメット本体２は、例えばＦＲＰ（繊維強化プラスチック）で形成することができる。バイザ３は、透明又は半透明であり、ポリカーボネートやアクリルを用いて形成することができる。
【００３３】
図２に示すように、ヘルメット本体２の内側には、人頭に接するハンモック４が設けられる。ハンモック４は、ヘルメット本体２と人頭との間に位置してヘルメット本体２に加わる衝撃が人頭に伝達するのを緩和する。ハンモック４には、人頭を囲繞して人頭に固定されるヘッドバンド５が取り付けられるようになっている。ヘッドバンド５は、ハンモック４と同じ材料で形成することができる。
【００３４】
また、ハンモック４は、ヘルメット本体２にハンモック４を取り付けるための帽体結合部４ａを有する。帽体結合部４ａは、ハンモック４の主要部をヘルメット本体２に接触させずに保持できるように、ハンモック４の下端部の複数個所に設けられる。
【００３５】
バイザ３は、ヘルメット本体２に固定された状態において、ヘルメット本体２下部の前端部から側面の前端側にかけて帯状に接する接触部６と、接触部６の下端部から前方に張り出して庇を構成する庇部７とを有する。
【００３６】
ヘルメット本体２には、バイザ３を取り付けるための貫通孔８が設けられる。貫通孔８は、例えば、ヘルメット本体２下部における前端部の２か所及び両側面の１か所ずつに設けられる。バイザ３は、貫通孔８に挿入してバイザ３をヘルメット本体２に取り付けるための挿入部材９を有する。
【００３７】
図３に示すように、ハンモック４とバイザ３の挿入部材９とは、貫通孔８に挿入されてヘルメット本体２の内側に突出した突出部３５と、ヘルメット本体２内に配置されたハンモック４の前方側の帽体結合部４ａとを解除可能に結合する結合部１０を構成している。
【００３８】
挿入部材９の先端部には、フランジ状部分９ａが設けられる。フランジ状部分９ａは、小径部９１と、小径部９１よりも径が大きく、小径部９１の先端側に離接する大径部９２とを有し、上記の突出部３５を構成している。本実施形態では、結合部１０は、フランジ状部分９ａと、ハンモック４に貫通させて設けられ、該フランジ状部分９ａが挿入されて固定される結合孔部１２とで構成される。
【００３９】
結合孔部１２は、フランジ状部分９ａとヘルメット本体２との間で挿入部材９に固定される固定部１３と、フランジ状部分９ａの挿入を許容する寸法を有する挿入孔が形成された挿入部１４とを有する。固定部１３には、フランジ状部分９ａの大径部９２の径よりも小さい幅を有して頭頂部側に開いたＵ字形状の孔部分が形成される。これにより、固定部１３は、フランジ状部分９ａの大径部９２とヘルメット本体２との間に挟まれて挿入部材９に固定されるようになっている。
【００４０】
挿入部１４の挿入孔は、該Ｕ字形状の孔部分に対して頭頂部側に連なっている。ここで、頭頂部とはヘルメット本体２における頭頂に対応する部分を意味する。
【００４１】
また、結合孔部１２は、フランジ状部分９ａを含む挿入部材９について、挿入部１４の挿入孔への挿入及び挿入部１４から固定部１３への移動を許容するとともに、固定部１３から挿入部１４への移動を阻止する弾性部材１５を有する。弾性部材１５は、頭頂部側から延びて先端部が固定部１３の頭頂部側に位置するように設けられる。
【００４２】
弾性部材１５は、ヘルメット本体２の下端縁にほぼ平行な軸の周りで弾性的に若干回動し得るように、挿入部１４よってその挿入孔内で支持される。弾性部材１５の頭頂部側には、押すことによって弾性部材１５を若干回動させるための押圧部２０が設けられる。
【００４３】
図１及び図２に示すように、ヘルメット本体２は、前方側の下端部の両側部が、両側に水平方向に拡がった拡り部１６を有する。バイザ３は、拡り部１６に対応する部分に、拡り部１６に対してこれを上下方向に挟むように外嵌して固定される前後方向に延びたスリット状の嵌合部１７を有する。
【００４４】
ハンモック４の後方側の帽体結合部４ａは、バイザ３の挿入部材９と結合されることなくヘルメット本体２に結合される。ヘルメット本体２の後方側の下端部に、後方側の帽体結合部４ａをヘルメット本体２に固定するための貫通孔１８が設けられる。
【００４５】
図４は、バイザ３端部の挿入部材９と、これに対応する帽体結合部４ａとがヘルメット本体２に固定されている部分の断面を示す。ただし、ハンモック４の帽体結合部４ａについては、２点鎖線により、挿入部材９のフランジ状部分９ａに結合している点のみが示されている。図４のように、バイザ３は、その挿入部材９を介して、ハンモック４の一部の帽体結合部４ａとともに、ヘルメット本体２に取り付けられている。
【００４６】
この構成において、ヘルメット１の組立てに際しては、まず、ヘルメット本体２の内側にハンモック４を配置し、後方側の帽体結合部４ａをヘルメット本体２の後方側に取り付ける。この取付けは、ヘルメット本体２の後方側の貫通孔１８に対し、両端部にフランジ部１９ａ及び１９ｂを有する留め部材１９を挿入して行われる。
【００４７】
留め部材１９は、一方のフランジ部１９ｂが貫通孔１８よりも大きい径を有しており、貫通孔１８に挿入される際には、他方のフランジ部１９ａの側が貫通孔１８に通され、該一方のフランジ部１９ｂはヘルメット本体２の外側に配置される。そして、両フランジ部１９ａ及び１９ｂの間にヘルメット本体２の貫通孔１８の部分と帽体結合部４ａの固定部１３（図３Ａ）とを挟むことにより、帽体結合部４ａが貫通孔１８の部分に取り付けられる。この取付けは、後述の前方側の帽体結合部４ａの場合と同様にして行われる。
【００４８】
次に、図１のように、バイザ３の挿入部材９をヘルメット本体２の貫通孔８に挿入すると同時に、バイザ３両側の嵌合部１７を、ヘルメット本体２両側の拡り部１６に外嵌させる。これにより、バイザ３の接触部６がヘルメット本体２の前端部に接した状態となる。
【００４９】
次に、貫通孔８に挿入されたバイザ３の挿入部材９を、帽体結合部４ａの結合孔部１２に結合させる。すなわち、まず、図３Ａのように、結合孔部１２の挿入部１４に対して、挿入部材９のフランジ状部分９ａを、弾性部材１５を押しながら挿入する。これにより、弾性部材１５は若干回動する。次に、結合孔部１２の固定部１３の周囲がヘルメット本体２の対応部分とフランジ状部分９ａの大径部９２との間に挟まれるように、帽体結合部４ａを頭頂部の方に移動させる。
【００５０】
このとき、フランジ状部分９ａは、弾性部材１５の先端から離れるので、弾性部材１５は若干回動して元の状態に戻る。これにより、フランジ状部分９ａは、結合孔部１２の挿入部１４に戻るのが弾性部材１５によって阻止された状態となる。これにより、図３Ｂのように、ハンモック４の帽体結合部４ａの結合孔部１２と、ヘルメット本体２の対応部分と、バイザ３の挿入部材９とが相互に結合した状態となる。この結合を、すべての挿入部材９について行うことにより、ヘルメット１の組立てが完了する。
【００５１】
バイザ３をヘルメット本体２から取り外す際には、まず、弾性部材１５をヘルメット本体２の内側の方に若干回動させ、フランジ状部分９ａが挿入部１４側に移動し得る状態とする。この回動は、弾性部材１５の頭頂部側に設けられた押圧部２０をヘルメット本体２の内面側に押すことによって行われる。
【００５２】
次に、帽体結合部４ａを頭頂部と反対方向に移動して、フランジ状部分９ａを挿入部１４に位置させる。そして、バイザ３の挿入部材９がヘルメット本体２の貫通孔８から引き抜かれ、バイザ３の嵌合部１７がヘルメット本体２の拡り部１６から離れるように、バイザ３をヘルメット本体２から分離させる。これにより、バイザ３の取外しが完了する。
【００５３】
本実施形態によれば、バイザ３をヘルメット本体２に対して着脱自在に取り付けることができる。このため、ヘルメット本体２よりも耐用期間が短いバイザ３の耐用期間が満了した場合には、バイザ３を交換することにより、ヘルメット本体２をそのまま継続して使用することができる。
【００５４】
また、ヘルメット本体２にバイザ３を着脱自在に取り付けるための結合部１０は、挿入部材９のフランジ状部分９ａと、ハンモック４の結合孔部１２及び弾性部材１５とによって簡単に構成することができる。
【００５５】
この構成により、ヘルメット本体２に対してバイザ３及びハンモック４の前方側の部分を容易に着脱することができるとともに、ヘルメット本体２に取り付けたバイザ３及びハンモック４の前方側の部分がヘルメット本体２から外れるのを、弾性部材１５によって阻止することができる。
【００５６】
また、拡り部１６に前後方向に延びたスリット状の嵌合部１７を嵌合させるようにしたので、バイザ３をヘルメット本体２に対して確実に固定することができる。また、バイザ３は、透明又は半透明であるため、バイザ３により上方の視界が妨げられるのを防止することができる。
【００５７】
図５は、第２実施形態に係るヘルメットのバイザ３ｂ端部の挿入部材９ｂと、これに対応する帽体結合部４ａとがヘルメット本体２に固定されている図４と同様の部分の断面図である。本実施形態においては、図５に示すように、挿入部材９ｂの一端側はバイザ３ｂに固定されており、他端側はヘルメット本体２の内側に突出してフランジ状部分９３を形成している突出部となっている。
【００５８】
フランジ状部分９３は、小径部９１と、その先端側の小径部９１よりも径が大きい大径部９２とを有する。小径部９１には、挿入部材９ｂに螺合している雄ねじ部９ｆが設けられており、該螺合を解除することにより該基端側からフランジ状部分９３を取り外すことができるようになっている。挿入部材９ｂの基端側には、雄ねじ部９ｆが螺合するナット９ｇが、バイザ３ｂの成形時にインサート成形によって組み込まれている。
【００５９】
ハンモック４の帽体結合部４ａには、小径部９１が挿入されてフランジ状部分９３に結合されている結合孔２６が設けられている。結合孔２６は、大径部９２よりも径が小さい単なる貫通孔として構成される。フランジ状部分９３及び結合孔２６によって、ハンモック４と挿入部材９ｂの突出部とを解除可能に結合している結合部を構成している。
【００６０】
また、バイザ３ｂは、その両端部に、ヘルメット本体２の一部に対し、嵌合して固定される嵌合部２１を有する。嵌合部２１は、バイザ３ｂの両端部において、二股に分かれた部分として形成される。図５では、ヘルメット本体２の下端部の折返し部２２に至る部分の側壁を両側から挟むようにして嵌合部２１が該側壁に嵌合している様子が示されている。
【００６１】
この構成において、ヘルメットを組み立てる際には、まず、実施形態１の場合と同様にして、ヘルメット本体２の内側にハンモック４が配置され、後方側の帽体結合部４ａがヘルメット本体２の後方側に取り付けられる。次に、バイザ３ｂの嵌合部２１がヘルメット本体２の対応部分に嵌合され、バイザ３ｂの各挿入部材９ｂの基端側がヘルメット本体２の対応する貫通孔８に挿入される。
【００６２】
次に、各貫通孔８に対応するハンモック４の結合孔２６に、対応するフランジ状部分９３が挿入され、その雄ねじ部９ｆが、対応する挿入部材９ｂ基端側のナット９ｇに螺合される。これにより、ヘルメットの組立てが完了する。
【００６３】
第２実施形態によれば、フランジ状部分９３をバイザ３ｂの挿入部材９ｂの基端側から取り外すことができるようにしたので、バイザ３ｂを、ハンモック４の対応する帽体結合部４ａとともに、ヘルメット本体２に対して容易に取付け及び取外しすることができる。
【００６４】
図６は、第３実施形態に係るヘルメットのバイザ３ｃ端部の挿入部材９ｃがヘルメット本体２ｂに固定されている、図４と同様の部分の断面図である。本実施形態においては、図６に示すように、挿入部材９ｃの一端はバイザ３ｃに固定され、挿入部材９ｃの他端側は、ヘルメット本体２ｂの貫通孔８ｂに挿入したときに弾性的に拡がって貫通孔８ｂからの抜けを阻止するモリ状先端部２３を形成している。モリ状先端部２３により、挿入部材９ｃを介してバイザ３ｃをヘルメット本体２ｂに対して解除可能に固定する固定手段が構成される。
【００６５】
ヘルメット本体２ｂの後部及び左右側面の下端部には、強度を向上させるための折返し部２７が設けられている。バイザ３ｃの両端部には、折返し部２７の対応する部分と嵌合する嵌合部２８が設けられている。嵌合部２８は、前後方向にある程度の長さを有しており、その長さ方向に沿って折返し部２７と嵌合する。
【００６６】
第３実施形態によれば、バイザ３ｃの嵌合部２８をヘルメット本体２ｂの折返し部２７に嵌合させながら、挿入部材９ｃのモリ状先端部２３をヘルメット本体２ｂの対応する貫通孔８ｂに挿入するだけで、バイザ３ｃをヘルメット本体２ｂに固定することができる。
【００６７】
また、嵌合部２８と折返し部２７との嵌合を解除させながら、バイザ３ｃの挿入部材９ｃを、そのモリ状先端部２３を閉じさせて引き抜くことにより、容易にヘルメット本体２ｂからバイザ３ｃを取り外すことができる。
【００６８】
図７は、第４実施形態に係るヘルメットのバイザ３ｄ端部の挿入部材９ｄがヘルメット本体２ｂに固定されている、図４と同様の部分の断面図である。本実施形態においては、図７に示すように、挿入部材９ｄの一端側はバイザ３ｄに固定されている。挿入部材９ｄには、その他端側の端面に開口した小径孔２９と、小径孔２９の前記一端側に接続した小径孔２９よりも径が大きい大径孔３０とが設けられている。
【００６９】
本ヘルメットは、挿入部材９ｄを介してバイザ３ｄをヘルメット本体２ｂに対して解除可能に固定する固定手段として、鋲状の留め具３１を有する。留め具３１は、先端側が、小径孔２９から大径孔３０にかけて挿入したときに弾性的に拡がって大径孔３０からの抜けを阻止するモリ状の先端部を有する。
【００７０】
第３実施形態の場合と同様に、ヘルメット本体２ｂには折返し部２７が設けられ、バイザ３ｄの両端部には折返し部２７と嵌合する嵌合部２８が設けられている。なお、留め具３１に代えて、ヘルメット本体２ｂの内面側から挿入部材９ｄに螺合され、貫通孔８ｂの径よりも径が大きい頭部を有する鋲ねじを備えてもよい。
【００７１】
第４実施形態によれば、バイザ３ｄの挿入部材９ｄを対応するヘルメット本体２ｂの貫通孔８ｂに挿入し、挿入部材９ｄの大径孔３０及び小径孔２９に留め具３１を挿入するだけで、容易に、バイザ３ｄをヘルメット本体２ｂに固定することができる。また、ヘルメット本体２ｂに固定されているバイザ３ｄの挿入部材９ｄの大径孔３０及び小径孔２９から留め具３１を引き抜くことにより、容易にバイザ３ｄをヘルメット本体２ｂから取り外すことができる。
【００７２】
図８は、第５実施形態に係るヘルメットのバイザ３ｅの端部がヘルメット本体２に固定されている、図４と同様の部分の断面図である。本実施形態においては、図８に示すように、バイザ３ｅは、ヘルメット本体２の貫通孔８に対応する部分に貫通孔３２が設けられている。
【００７３】
本ヘルメットは、バイザ３ｅの表面側からその貫通孔３２及び対応するヘルメット本体２の貫通孔８に挿入される鋲状部材３３と、鋲状部材３３にヘルメット本体２の内側から螺合している鋲ねじ３４とを備える。
【００７４】
鋲状部材３３により、ヘルメット本体２の貫通孔８に挿入された挿入部材が構成され、鋲ねじ３４により、該挿入部材を介してバイザ３ｅをヘルメット本体２に対して解除可能に固定する固定手段が構成される。
【００７５】
第５実施形態によれば、バイザ３ｅに貫通孔３２を設けるだけで、鋲状部材３３と鋲ねじ３４とで着脱自在にバイザ３ｅをヘルメット本体２に取り付けることができる。
【００７６】
以上、本発明の実施形態について説明したが、本発明はこれに限定されない。例えば、ヘルメット本体２にバイザ３を着脱自在に取り付けるための結合部１０は、バイザ３の挿入部材９の先端部にフランジ状部分９ａの代わりに弾性的に径方向に縮小可能な鉤状の部分を設け、これをハンモック４の帽体結合部４ａに設けた貫通孔に挿入して挿入部材９と帽体結合部４ａとを結合するような構成であってもよい。ただし、鉤状の部分が、人頭に当たらないようにする等の工夫を要する。また、ハンモック４の形態によっては、ヘッドバンド５は無くてもよい。
【００７７】
また、第１〜第５実施形態におけるヘルメット本体２、２ｂ、バイザ３、３ｂ、３ｃ、３ｄ、並びに各固定手段は、可能な範囲において、第１〜第５実施形態で示した組合せ以外の組合せで用いてもよい。
【符号の説明】
【００７８】
１…ヘルメット、２、２ｂ…ヘルメット本体、３、３ｂ、３ｃ、３ｄ…バイザ、４…ハンモック、４ａ…帽体結合部、５…ヘッドバンド、６…接触部、７…庇部、８、８ｂ、１８、３２…貫通孔、９…挿入部材、１０…結合部、９ａ…フランジ状部分、９ｆ…雄ねじ部、１２…結合孔部、１３…固定部、１４…挿入部、１５…弾性部材、１６…拡がり部、１７、２１、２８…嵌合部、１９…留め部材、１９ａ、１９ｂ…フランジ部、２０…押圧部、２２、２７…折返し部、２６…結合孔、２９…小径孔、３０…大径孔、３１…留め具、３３…鋲状部材、３４…鋲ねじ、３５…突出部、９１…小径部、９２…大径部。
【図１】
0006785493.tif 000002
【図２】
0006785493.tif 000003
【図３】
0006785493.tif 000004
【図４】
0006785493.tif 000005
【図５】
0006785493.tif 000006
【図６】
0006785493.tif 000007
【図７】
0006785493.tif 000008
【図８】
0006785493.tif 000009